(57)【要約】【課題】補助者を必要としないで、効果的な腰背部の前屈運動および伸展運動を実施可能とし、同時に腰背部を指圧することを目的とする。【解決手段】弾性をもつように基部（２）と脚部（３）を構成し、脚部（３）の上端に座面（１）を設け、脚部（３）の表裏の面には複数の指圧部（４，５）を設ける。以上の構成よりなる椅子。基部（２）と脚部（３）の内側に体を入れて、素材の弾性を利用して自分で反動をつけながら前屈運動を行うことができる。脚部（３）の外側によりかかることで簡単に背部を伸展させることができる。その状態で、素材の弾性を利用して揺動させればさらに効果を高められる。上端部の座面（１）に座り、素材の弾性を利用して上下に揺らすことで腰背部のバランスを取る運動ができる。脚部（３）の表裏に設けられた指圧部（４，５）により、腰部前屈時は背中を丸めた状態、背部伸展時は背中を反らした状態で指圧効果を得ることができる。【選択図】図３
2013244085.tif 000002
【特許請求の範囲】
【請求項１】
弾性をもつように基部（２）と脚部（３）を鋭角に構成し、脚部（３）の上端に座面（１）を設ける。
【請求項２】
基部（２）と弾性をもつように鋭角に構成された脚部（３）に、腰背部の運動と同時に指圧する指圧部（４，５）を設ける。
以上の構成よりなる椅子。
【発明の詳細な説明】
【技術分野】
【０００１】
本発明は、腰部の前屈運動の補助、背部の伸展運動の補助、腰背部バランス運動および背部の指圧ができる椅子に関するものである。
【背景技術】
【０００２】
従来、身体の硬い人は一人では十分な前屈体位を維持することができず、筋肉に十分なストレッチ効果を与えることが出来なかった。そこで、柔軟運動を補助する器具として例えば特許文献１に記されたものがある。特許文献１の柔軟運動用器具は、ベンチに対して傾斜して足を支える当て板を設け、ベンチの両側に下端側を中心として回動自在としてある一対の脚アームと、前記両脚アームの上端を連結する連結アームと、前記脚アームにその下端側を中心とし、前方に向かう回転モーメントを付与するための重錘とを備えていることを特徴としている。
【０００３】
背部の伸展を補助する器具としては、ア−チ状のストレッチ器具がある。例えば，特許文献２に記されたものがある。特許文献２の器具は背もたれがアーチ状のベンチであり、座部と背もたれ部が一体となって揺動することによりストレッチ効果を得ることを特徴としている。
【０００４】
腰背部のバランス運動をするものとしては、姿勢矯正用の椅子として特許文献３に記されたものがある。特許文献３の椅子は、台座の中心に凹みを有する円盤状の突起を設け、その凹みに嵌合する球体を有する座部を設け、台座と座部の間に緩衝材を備えることを特徴としている。
【０００５】
背部を指圧するものとしては、背もたれによりかかり自分の体の重みを利用し、突起や空気袋等で圧力を加えるものがある。例えば、特許文献４に記されたものがある。特許文献４は、椅子や座席シートに固定する器具で、ドーム状の複数の指圧部を有するシートと固定用の面ファスナーを有することを特徴としている。
【先行技術文献】
【特許文献】
【０００６】
【特許文献１】特許公開平１０−３１４３３８
【特許文献２】特許公開２００９−１０６３９４
【特許文献３】特許公開２０１０−１５８３２９
【特許文献４】特許公開２００８−１１３７９６
【発明の概要】
【発明が解決しようとする課題】
【０００７】
これは、つぎのような欠点があった。補助者を必要とせず腰部の前屈運動や背部の伸展運動を補助する器具は大型で、室内で手軽に運動を実施するには適さなかった。姿勢を正す椅子は、上下の運動ができなかった。自分の体の重みを利用する背部の指圧器具は、背中が反った状態もしくは椅子にもたれた状態でしかマッサージできなかった。本発明は以上のような欠点をなくすためになされたものである。
【課題を解決するための手段】
【０００８】
本発明は、弾性のある素材を鋭角に構成し上端部に座面を設けた椅子で、座面を支持する素材の上面と下面に指圧効果のある突起を設けることを最も主要な特徴とする。
【発明の効果】
【０００９】
本発明の椅子は、弾性のある素材を鋭角に構成し、上端部に座面を設けた椅子である。前屈運動をする場合は、鋭角に構成された弾性のある素材の内側に体を入れて前屈運動をする。素材の弾性を利用して、背中を他人に押してもらうように自分で反動をつけながら前屈運動を行うことができる。また、鋭角に構成された素材の外側によりかかることで簡単に背部を伸展させることができる。その状態で、素材の弾性を利用して揺動させればさらに効果を高められる。上端部の座面には背もたれがなく、姿勢よく座ることができ、素材の弾性を利用して上下に揺らすことで腰背部のバランスを取る運動ができる。前屈時と伸展時の体が接する場所には複数の突起を設ける。その突起により、腰部前屈時は背中を丸めた状態、背部伸展時は背中を反らした状態で指圧効果を得ることができる。小型で簡単な構造の椅子で複数の運動および指圧ができるという利点がある。
【図面の簡単な説明】
【００１０】
【図１】図１は正面図である。
【図２】図２は背面図である。
【図３】図３は側面図である。
【図４】図４は実施例1の側面図である。
【図５】図５は実施例２の側面図である。
【図６】図６は実施例３側面図である。
【発明を実施するための形態】
【００１１】
弾性のある素材で鋭角になるように基部（２）と脚部（３）を成型又は接続する。接続の角度は３０〜４５度程度が都合がよい。開口部は５０センチメートルほどの間隔をもたせて体を折り曲げて入れられる空間を確保する。基部（２）自体は必ずしも弾性を必要としないが、脚部（３）には弾性をもたせる。例えば木材、樹脂、金属、ゴム、プラスティック。脚部（３）は座面（１）よりも幅を狭く設け、足を前にして座れるようにする。また、脚部（３）は緩やかなアーチ状の湾曲した形状にする。これは、背部を伸展させる運動時に背面にフィットさせるためである。基部（２）は縦、横５０センチメートル程度が良い。脚部（３）の上端部には座面（１）を設ける。座面（１）は扇状の形をなし、左右両端部を下方向に湾曲させる。これは、座面（１）の裏側を前屈運動時に背中にフィットさせるためである。座面（１）の裏側および脚部（３）の内側と外側に指圧効果のある突起を設ける。突起は脚部（３）の中心線に沿って２列に複数を配置するのが良い。突起部は例えばゴム、シリコン、空気袋で構成する。本発明は以上のような構造で、これを使用する実施例を以下に示す。
【実施例１】
【００１２】
図４は、本発明の実施例１の側面図であって、基部（２）と鋭角に成型された脚部（３）の内側に体を入れた状態である。体の柔らかさには個人差があり、柔らかい人ほど奥に入り込むことができるので、自分の柔らかさに合わせて体を入れることにより運動の強度を調整できる。上下に体を揺らすことにより素材の弾性を生かして背中を他人に押してもらった時と同様の運動効果を得ることができる。また、内側指圧部（４）を利用し好きな強度で背中を指圧することができる。
【実施例２】
【００１３】
図５は、本発明の実施例２の側面図であって、脚部（３）の上面に背中を寄りかからせることで伸展することができる。体を上下に揺らすことで運動の効果を高められるとともに、リラックスしながら運動ができる。また、外側指圧部（５）で背部を指圧することができる。
【実施例３】
【００１４】
図６は、本発明の実施例３の側面図であって、脚部（３）の上端部に設けられた背もたれのない座面（１）に座ることで姿勢が良くなる。また、弾性を利用して上下に揺らすことで腰背部のバランス運動ができる。
【産業上の利用可能性】
【００１５】
クッション性の素材で全体を覆えば、クッションとしての用途にも適用でき、デザインを工夫することで室内に違和感なく設置することができる。
【符号の説明】
【００１６】
１    座面（１）
２    基部（２）
３    脚部（３）
４    内側指圧部（４）
５    外側指圧部（５）
【図１】
2013244085.tif 000003
【図２】
2013244085.tif 000004
【図３】
2013244085.tif 000005
【図４】
2013244085.tif 000006
【図５】
2013244085.tif 000007
【図６】
2013244085.tif 000008